(57)【特許請求の範囲】
【請求項１】
便器（１）上に便座（２）を持上げ可能に取付け、該便座（２）が収納可能な蓋状の洗浄板（３）を前記便器（１）の上面奥側に立設固定させ、且つ前記洗浄板（３）の内部には前記便座（２）の形状に沿って噴射管（４）を配置させると共にその噴射管（４）には洗浄時に前記便座（２）の表面に噴射するための噴射孔（4a）を多数穿設し、前記便座（２）が前記便器（１）の上面から回転されながら持上げられて前記洗浄板（３）に収納するための便座駆動手段（５）を具備すると共に前記噴射孔（4a）に蒸気又はエアを噴射させるための噴射手段（６）を少なくとも具備し、且つ、該噴射手段（６）が、前記噴射孔（4a）から蒸気が噴射されるための蒸気発生装置（61）と、エアを噴射させるためのファン（62）と、蒸気とエアを切換えるための電磁切換弁（63）とから成されたことを特徴とする洋式便器に於ける便座洗浄装置。
【請求項２】
前記蒸気発生装置（61）が、洗浄液タンク（８）の洗浄液を供給するポンプ（61a）と、その洗浄液が加熱されて蒸気にする電磁波，ヒーター，ペルチェ素子などを利用した熱源装置（61b）とから成された請求項１記載の洋式便器に於ける便座洗浄装置。
【請求項３】
前記便座（２）の表面に、「洗浄済み」或いは「消毒済み」などの文字が表示されるための表示部（11）を設けると共に前記便座（２）の下部と前記便器（１）の上面間には前記表示部（11）を消すためのスイッチ（12）が設けられた請求項１記載の洋式便器に於ける便座洗浄装置。
【発明の詳細な説明】
【０００１】
【発明の属する技術分野】
本発明は使用後の汚れた便座を自動的に洗浄して乾燥させるための洋式便器に於ける便座洗浄装置に関する。
【０００２】
【従来の技術】
洋式便器の便座洗浄装置に於いて、便座表面を一気に洗浄した後、乾燥させるものとしては、特開平５―１４６３７８号がある。この構造は、便器上の一側に便座を枢着し、該便座の上面を被蔽する便座カバーが開閉自在に設けられ、該便座カバーの裏面に噴水孔と送風孔を設け、噴水孔より水等を噴射して前記便座を洗浄し、更に前記送風孔よりエアを噴射して前記便座を乾燥させる構造のものであった。
【０００３】
【発明が解決しようとする課題】
しかしながら特開平５―１４６３７８号は、便座を洗浄する際には、調節スイッチにて水やエアの噴出時間、量、温度を調節する。そして、洋式便器の使用後に便座カバーを閉じた後、スタートスイッチを押圧すれば、洗浄装置が作動し、噴水孔より水が噴出されて便座の上面を洗浄する。然る後、送風孔より自動的にエアが送風されて便座を乾燥させる。暫くして、便座は洗浄され、清潔に保持される。このように便座カバーを閉じることにより洗浄装置を作動するように構成しているため、便座カバーの裏面縁部から水が噴射されると便座表面の水が外部へ流出され易く、且つエアが送風されると便座に付着していた水が外部に飛び散り易くなり、防水処理が必要であり、且つ完全防水は難しかった。更に便座は水によって洗浄されるが、殺菌することは何処にも記載されておらず且つ殺菌する装置も不明であるため、この構造では殺菌することは困難であった。しかも各噴水孔には送水管が、各送風孔には送風管がそれぞれ１本ずつ配管されているため、管が多く且つ全体構造が複雑である等の問題点があった。
【０００４】
本発明は使用後の便座が自動的に洗浄されて常に便座を清潔に保持することが出来ると共に構造が簡単で殆ど防水処理が不要な洋式便器に於ける便座洗浄装置を提供することを目的とする。
【０００５】
本発明の別の目的は次に使用する人に便座が洗浄された状態であることを表示して便座の清潔感が保持することができ、特に公衆トイレや企業内のトイレに於いては、不特定多数の人が使用しても使用者が清潔で安心して使用出来るものとなる洋式便器に於ける便座洗浄装置を提供することを目的とする。
【０００６】
【課題を解決するための手段】
上記問題点を解消するために本発明は成されたものであり、つまり、便器上に便座を持上げ可能に取付け、該便座が収納可能な蓋状の洗浄板を便器の上面奥側に立設固定させ、且つ洗浄板の内部には便座の形状に沿って噴射管を配置させると共にその噴射管には便座の表面に噴射する噴射孔を多数穿設し、便座が便器の上面から回転されながら持上げられて洗浄板に収納するための便座駆動手段を具備すると共に噴射孔に蒸気又はエアを噴射させるための噴射手段を少なくとも具備し、且つ、該噴射手段が、噴射孔から蒸気が噴射されるための蒸気発生装置と、エアを噴射させるためのファンと、蒸気とエアを切換えるための電磁切換弁とから成る構造とする。又、蒸気発生装置として、洗浄液タンクの洗浄液を供給するポンプと、その洗浄液が加熱されて蒸気にする電磁波，ヒーター，ペルチェ素子などを利用した熱源装置とから成されたものとすれば良く、また便座の表面に、「洗浄済み」或いは「消毒済み」などの文字が表示されるための表示部を設けると共に便座の下部と便器の上面間には表示部を消すためのスイッチが設けられたものにすると良い。
【０００７】
【発明の実施の形態】
図１は本発明の実施形態を示す図であり、この図面に基づいて本実施形態を説明する。（１）は洋式の一般的な便器である。（２）は便器（１）上に持上げ可能に取付けた便座であり、該便座（２）の奥側一端には後述する軸（5a）が貫通されて固定してあり、且つこの軸（5a）によって後述する洗浄板（３）に軸支されている。（３）は便器（１）の上面奥側に立設固定させ且つ便座（２）が収納可能な蓋状の洗浄板であり、該洗浄板（３）の周囲には図２に示すような防水用のゴムパッキン（3a）を取付けておくのが好ましい。（４）は洗浄板（３）の内部で且つ便座（２）の形状に沿って配置させた略円形状の噴射管であり、該噴射管（４）には便座（２）の表面に噴射するための噴射孔（4a）を多数穿設している。尚、前記噴射孔（4a）は適宜間隔に１個ずつ穿設するだけでなく、縦或いは横方向に２個ずつ穿設させるものとしても良い。（５）は便座（２）が便器（１）の上面から回転されながら持上げられて洗浄板（３）に収納するために具備された便座駆動手段であり、該便座駆動手段（５）には、便座（２）の奥側端部を貫通固定し且つそれを洗浄板（３）に軸支するための軸（5a）と、その軸（5a）の一端部に固着したウオームホイール（5b）と、該ウオームホイール（5b）に噛合し立設するウオーム（5c）と、そのウオーム（5c）を回動させる駆動モーター（5d）と、カバー（5e）とがある。尚、前記駆動モーター（5d）は後述する制御ボックス（７）の指令によって作動する。
【０００８】
（６）は噴射孔（4a）に蒸気又はエアを噴射させるために具備した噴射手段であり、該噴射手段（６）は蒸気発生装置（61）と、ファン（62）と、蒸気とエアを切換えるための電磁切換弁（63）とから成されている。また蒸気発生装置（61）には、洗浄液タンク（８）の洗浄液を供給するポンプ（61a）と、その洗浄液を加熱して蒸気にする電磁波，ヒーター，ペルチェ素子などが利用された熱源装置（61b）とがある。（７）は便座駆動手段（５）や噴射手段（６）などの作動を制御する制御ボックスであり、該制御ボックス（７）には、予め蒸気やエアの噴射時間や温度等が設定され且つ洗浄工程のプログラムが記憶されている。（８）はポンプ（61a）によって供給される洗浄液が入れられている洗浄液タンクでり、この上面には注入口（8a）が設けられている。（９）は人が便器（１）から離れたことを感知するセンサーであり、これは便座駆動手段（５）の操作スイッチとしての役目を果たす。（10）はマットセンサーであり、センサー（９）の代りに使用すると良い。（11）は便座（２）の表面に「洗浄済み」或いは「消毒済み」などの文字が表示されるための表示部であり、前記文字はランプや液晶等で浮き出るように表示すると良い。（12）は便座（２）の下部と便器（１）の上面間に設けたスイッチであり、このスイッチ（12）は表示部（11）を消すためのものである。
【０００９】
次に本発明の使用方法について説明する。先ず使用後に人が便器（１）から離れると、センサー（９）或いはマットセンサー（10）からの信号が制御ボックス（７）に送られ、制御ボックス（７）から便座駆動手段（５）へ指令が送られる。すると駆動モーター（5d）が作動し、ウオーム（5c）を回転させることにより、それに噛合するウオームホイール（5b）が回転されると共に軸（5a）を回転させ、更に便座（２）も回転する。この時、便座（２）は軸（5a）を中心に回転し図２に示す二点鎖線のように持上げて上方へ開かれ、更に持上げて一点鎖線のように洗浄板（３）へ収納される。そして駆動モーター（5d）は停止する。これで便座（２）の洗浄準備が完了するのである。そして制御ボックス（７）からの指令が噴射手段（６）へ送られる。
【００１０】
この噴射手段（６）の作用を図４に基づいて説明する。先ず始めは、電磁切換弁（63）の状態が図４（ａ）に示す位置にあり、噴射管（４）には何も供給されない状態である。次に制御ボックス（７）からの指令が噴射手段（６）へ送られて来ると、電磁切換弁（63）が図４（ｂ）の位置に切換わり、ポンプ（61a）とヒーターなどを利用した熱源装置（61b）が作動される。すると先ず、洗浄液タンク（８）の洗浄液がポンプ（61a）によって熱源装置（61b）を通過させることにより、洗浄液が加熱されて高圧蒸気になる。その蒸気が噴射管（４）に供給され、各噴射孔（4a）から便座（２）の表面に蒸気が噴射して洗浄と加熱殺菌の作業は開始されるのである（図３参照）。この蒸気は便座（２）の表面に当り、水滴となって落下し、その水滴は便器（１）内部へ自然に導かれて集められるため、周囲には殆ど水滴で濡れることはない。尚、蒸気が外部に出ないように図２に示すゴムパッキン（3a）を取付けることが好ましいが、例えゴムパッキン（3a）がない状態でも、蒸気は洗浄板（３）の上部から出るだけで、便器（１）の周辺には水滴が付着して濡れる心配が殆どない。
【００１１】
蒸気の噴射が所定時間経過すると、ポンプ（61a）と熱源装置（61b）が停止すると共に電磁切換弁（63）が図４（ｃ）の位置に切換わり、前記噴射孔（4a）から蒸気が止まる。するとファン（62）が作動し、エアが噴射管（４）に供給されて、各噴射孔（4a）から便座（２）の表面にエアを噴射し乾燥作業が開始されるのである。尚、この時、エアは加熱された状態で噴射されるのが好ましいが、本発明に於いて蒸気で洗浄するため、加熱されたエアでなくても充分に乾燥する。蒸気の噴射が予め設定された所定時間を経過すると、ファン（62）が停止し、且つ電磁切換弁（63）が図４（ａ）に示す位置に戻されて、便座（２）表面の洗浄作業は完了する。その後、制御ボックス（７）から便座駆動手段（５）へ指令が送られる。
【００１２】
制御ボックス（７）から指令が便座駆動手段（５）に送られて来ると、先ず駆動モーター（5d）が作動する。この時、駆動モーター（5d）の回転方向は前と逆回転し、ウオーム（5c）を回転させることにより、ウオームホイール（5b）と軸（5a）を介在して便座（２）は前と逆方向に回転されるのである。すると便座（２）は図２に示す二点鎖線のように下がって閉り、更に閉って便器（１）の上に来るのである。この時、便座（２）の表面の表示部（11）には「洗浄済み」或いは「消毒済み」などの文字が浮き出て表示される。従って、次に使用する人は便座（２）が清潔に保持されていることが目で分かるため、安心して便座（２）の上に腰掛けることが出来るのである。人が便座（２）の上に腰掛けると、その重量によってスイッチ（12）が働き表示部（11）の表示は消えるのである。その後、使用した人が便器（１）から離れると、上記要領で洗浄作業が自動的に行われると共に洗浄終了後は表示部（11）に文字が表示されるのである。このようにセンサー（９）或いはマットセンサー（10）からの信号が制御ボックス（７）に送られることにより、図示しない予め設定されたプログラムに沿って洗浄作業が自動的に行なわれるのである。
【００１３】
【発明の効果】
本発明はこのように構成させたことにより、下記に記載する効果を有する。
【００１４】
請求項１のように便器（１）上に便座（２）を持上げ可能に取付け、該便座（２）が収納可能な蓋状の洗浄板（３）を便器（１）に立設固定させ、その内部には噴射管（４）を配置させると共にその噴射管（４）には噴射孔（4a）を多数穿設し、便座（２）が便器（１）の上面から回転させながら持上げて洗浄板（３）に収納するための便座駆動手段（５）を具備すると共に噴射孔（4a）に蒸気又はエアを噴射させるための噴射手段（６）を少なくとも具備することにより、立設状態で且つ蒸気で便座（２）の洗浄作業と殺菌作業が行え、更に自動的に洗浄することが可能であるため、常に便座（２）を清潔に保持することが出来ると共に従来の如き水を噴出させる必要がなく、面倒な防水処理が不要となる。又、従来の如き各孔に管が１本ずつ接続されていないため、構造が簡単で維持管理が容易なものとなる。更に噴射手段（６）として、噴射孔（4a）から蒸気が噴射されるための蒸気発生装置（61）と、エアを噴射させるためのファン（62）と、蒸気とエアを切換えるための電磁切換弁（63）とから成すことにより、噴射孔（4a）から蒸気とエアを切換えて噴射させることが出来るので、従来の如き各孔に管が１本ずつ接続されていなくても良くなり、配管の構造が極めて簡単になる。
【００１５】
請求項２のように蒸気発生装置（61）として、洗浄液タンク（８）の洗浄液を供給するポンプ（61a）と、その洗浄液を加熱して蒸気にする電磁波，ヒーター，ペルチェ素子などが利用された熱源装置（61b）とから成すことにより、洗浄液が常に確保出来るものとなる。又、洗浄液を加熱して蒸気にする際、熱源装置（61b）として電磁波やペルチェ素子を用いると、温度調節が容易であると共に火災の心配が殆どなくなる。また熱源装置（61b）としてヒーターを用いると、構造が簡単で入手し易いので安価に出来ると共に維持管理が簡単なものとなる
【００１６】
請求項３に示すように便座（２）の表面に、「洗浄済み」或いは「消毒済み」などの文字が表示されるための表示部（11）を設けると共に表示部（11）を消すためのスイッチ（12）が設けられることによって、使用する人に便座（２）が洗浄された状態であることを表示して便座（２）の清潔感が保持することができ、特に公衆トイレや企業内のトイレに於いては、不特定多数の人が使用しても使用者が清潔で安心して使用出来るものとなる。
【図面の簡単な説明】
【図１】  本発明の実施形態の要部を示す斜視図である。
【図２】  本実施形態の便座駆動手段の作用を示す説明図である。
【図３】  本実施形態の噴射手段を示す説明図である。
【図４】  本実施形態の噴射手段の作用を示す説明図である。
【符号の説明】
１  便器
２  便座
３  洗浄板
４  噴射管
4a  噴射孔
５  便座駆動手段
5a  軸
5b  ウオームホイール
5c  ウオーム
5d  駆動モーター
６  噴射手段
61  蒸気発生装置
61a  ポンプ
61b  熱源装置
62  ファン
63  電磁切換弁
８  洗浄液タンク
９  センサー
10  マットセンサー
11  表示部
12  スイッチ
【図１】
0004084021.tif 000002
【図２】
0004084021.tif 000003
【図３】
0004084021.tif 000004
【図４】
0004084021.tif 000005